(57)【要約】【課題】経済的に有益なカバーモジュールを提供する。【解決手段】電子装置に取り付けられ、電子装置のコネクターを保護するのに適したカバーモジュールが提供される。カバーモジュールは、本体と、フリップカバーと、フレキシブル連接素子とを備える。本体はコネクターを露出するための開口部を有する。開口部の側壁は第１固定構造体を有する。フリップカバーは開口部中に位置し、フリップカバーの側壁は第１固定構造体に固定される第２固定構造体を有する。フレキシブル連接素子は本体およびフリップカバー間に連接される。力がフリップカバーに加えられる時、フレキシブル連接素子は変形し、フリップカバーがフレキシブル連接素子の変形に従って移動するとともに、第１固定構造体および第２固定構造体間の固定が解除されて、フリップカバーは本体から離れるようフレキシブル連接素子の一部を軸として旋開する。【選択図】図４
2010244510.tif 000002
【特許請求の範囲】
【請求項１】
電子装置のコネクターを保護するための、前記電子装置に取り付けられるのに適したカバーモジュールであって、
前記コネクターを露出するための開口部を有し、該開口部の側壁が第１固定構造体を有する本体と、
前記開口部内に位置し、側壁が前記第１固定構造体に固定される第２固定構造体を有するフリップカバーと、
前記本体および前記フリップカバー間に連接されるフレキシブル連接素子と、
を備え、
前記フリップカバーに力が加えられると、前記フレキシブル連接素子は変形し、前記フリップカバーが前記フレキシブル連接素子の変形に従って移動するとともに、前記第１固定構造体および前記第２固定構造体間の固定が解除されて、前記フリップカバーが前記連接素子の一部を軸として前記本体から旋開するカバーモジュール。
【請求項２】
前記第１固定構造体はフランジであり、前記第２固定構造体は凹所である、請求項１に記載のカバーモジュール。
【請求項３】
前記第１固定構造体は凹所であり、前記第２固定構造体はフランジである、請求項１に記載のカバーモジュール。
【請求項４】
前記第１固定構造体は第１ガイド表面と第２ガイド表面とを有し、
前記第１固定構造体および前記第２固定構造体間に鋭角があり、
前記第２固定構造体は第３ガイド表面と第４ガイド表面とを有し、
前記第３ガイド表面および前記第４ガイド表面間に鋭角があり、
前記第１固定構造体および前記第２固定構造体が互いに固定される時、前記第２ガイド表面が前記第４ガイド表面に接触する、請求項１に記載のカバーモジュール。
【請求項５】
前記本体は前記電子装置の一部のケーシングである、請求項１に記載のカバーモジュール。
【請求項６】
前記本体と前記フリップカバーと前記フレキシブル連接素子とが一体的に形成される、請求項１に記載のカバーモジュール。
【請求項７】
前記フリップカバーは更に前記第２固定構造体に対応する複数の突起構造体を有し、
前記各突起構造体は前記第１固定構造体および前記第２固定構造体が互いに固定されている時、前記第１固定構造体および前記第２固定構造体を共に遮る、請求項１に記載のカバーモジュール。
【請求項８】
前記フリップカバーは、前記フリップカバーの強度を増大するためのサポート構造体を備える、請求項１に記載のカバーモジュール。
【請求項９】
前記フレキシブル連接素子は、前記本体の表面および前記フリップカバーの表面に連接される、請求項１に記載のカバーモジュール。
【請求項１０】
電子装置のコネクターを保護するために、該電子装置のカバーモジュールを制御する方法であって、
外力を前記カバーモジュールのフリップカバーに加えて、前記カバーモジュールの前記フリップカバー上の第２固定構造体と前記カバーモジュールの本体上の第１固定構造体との間の固定を解除するとともに、前記本体および前記フリップカバーに連接されているフレキシブル連接素子を変形させるステップであって、前記第１固定構造体は開口部の側壁に位置し、かつ前記開口部は前記本体上に位置するステップと、
前記フレキシブル連接素子の一部を軸として前記フリップカバーを回動させ、前記フリップカバーを前記本体から旋開させ、前記開口部に前記コネクターを露出させるステップと、
を含む、電子装置のカバーモジュールを制御する方法。
【請求項１１】
前記第２固定構造体および前記第１固定構造体間の固定を解除するステップは、前記第２固定構造体の前記ガイド表面が前記第１固定構造体の前記ガイド表面を超えるまで、前記第２固定構造体のガイド表面を前記第１固定構造体のガイド表面に沿ってガイドすることを含む、請求項１０に記載の方法。
【発明の詳細な説明】
【技術分野】
【０００１】
この発明は、一般にカバーに関し、特に、電子装置に取り付けられるカバーモジュールに関する。
【背景技術】
【０００２】
今日、電子装置は、通常、非常に小型で薄く、かつ軽量に設計されるので、ユーザーが持ち歩くのに便利である。例えば、ノートブックコンピューターは、テキスト編集、レポート作成、ネットワーク、インスタントメッセンジャーおよびＥ−メールＢＯＸ等のような多くの異なる機能を提供できるから、多くのユーザーは、ビジネス旅行またはバケーションの時に、ノートブックコンピューターを持ち運ぶのが好きである。
【発明の概要】
【発明が解決しようとする課題】
【０００３】
しかし、アウトドア環境にはダスト微粒子がたくさん存在し、ノートブックコンピューターのコネクター上のポートがノートブックコンピューターのケーシング（casing）によって露出されているため、ダスト微粒子がコネクター中に蓄積して、コネクターおよび外部装置間の接続に影響を及ぼすことがある。特に、ダスト微粒子はコネクターおよび外部装置間の短絡を引き起したり、コネクターおよび外部装置を損傷させることさえある。
【０００４】
上記問題を解決するために、従来において、カバーが提供され、ノートブックコンピューターを使用しない時、ユーザーがノートブックコンピューターにカバーを取り付けできるので、カバーがノートブックコンピューターのコネクターをカバーし、それによって、ダスト微粒子がコネクター中に蓄積することを防止できる。また、カバーは、ノートブックコンピューターのコネクターを望ましくない外来物質（foreign substances）から保護することもできる。
【０００５】
図１は、従来のカバーおよび電子装置のコネクターを示す図である。図１において、ハウジング４３はオープンスロット６を有する。電子装置がハウジング４３中に設置される時、オープンスロット６が電子装置のコネクター５Ｃを露出させる。外来物質（例えば、ダスト微粒子）のコネクター５Ｃへの進入を防止するために、２つのブロックカバー３および４がコネクター５Ｃを遮るために配置される。また、ブロックカバー３および４がヒンジ５１に連接されて、ブロックカバー３および４は、通常時にコネクター５Ｃを遮ることができる。
【０００６】
外部装置がコネクター５Ｃを介して電気接続される時、ユーザーが外部装置のプラグ３４をコネクター５Ｃへ向けて押す。プラグ３４は、先ず、ブロックカバー３および４を押す。ここで、ブロックカバー３および４は、それぞれ軸１０ａおよび１０ｂに対して回動するとともに、ヒンジ５１の端を駆動し、プラグ３４がオープンスロット６へ進入でき、かつコネクター５Ｃにプラグ接続される。ユーザーが外部装置および電子装置間の電気接続を切り離したい時、ユーザーは、コネクター５Ｃから反対方向にプラグ３４を引き抜く。ここで、ブロックカバー３および４がヒンジ５１の復元力によりそれらの元の位置に復帰する。
【０００７】
しかし、ヒンジ５１は、通常、ねじり金属バー（twisted metal bar）であるため、プラグ３４でブロックカバー３および４を押してヒンジ５１を駆動するために、ユーザーは、非常に大きな力を加えなければならない。また、ブロックカバー３および４は、それらを開く時に回動半径（gyration radius）を必要とするため、ハウジング４３の幾ばくかのスペースが浪費され、経済的にあまり有益なものではない。
【０００８】
従って、この発明の目的は、経済的に有益なカバーモジュールを提供することにある。
【課題を解決するための手段】
【０００９】
この発明は、電子装置のコネクターを保護するために電子装置に取り付けるのに適したカバーモジュールを提供する。前記カバーモジュールは、本体と、フリップカバーと、フレキシブル連接素子とを備える。前記本体はコネクターを露出するための開口部を有する。前記開口部の側壁は第1固定構造体を有する。前記フリップカバーは前記開口部内に位置し、前記フリップカバーの側壁は第１固定構造体に固定される第２固定構造体を有する。前記フレキシブル連接素子は前記本体およびフ前記リップカバー間に連接される。前記フリップカバーに力が加えられると、前記フレキシブル連接素子は変形し、前記フリップカバーは前記フレキシブル連接素子の変形に従って移動するとともに、前記第１固定構造体および前記第２固定構造体間の固定が解除されて、前記フリップカバーが前記フレキシブル連接素子の一部を軸として本体から旋開する（swinging open）。
【００１０】
また、この発明のカバーモジュールにおいて、前記第１固定構造体はフランジであり、前記第２固定構造体が凹所（recess）である。
【００１１】
また、この発明のカバーモジュールにおいて、前記第１固定構造体は凹所であり、前記第２固定構造体はフランジである。
【００１２】
また、この発明のカバーモジュールにおいて、前記第１固定構造体は第１ガイド表面と第２ガイド表面とを有し、前記第１固定構造体および前記第２固定構造体間に鋭角があり、前記第２固定構造体は第３ガイド表面と第４ガイド表面とを有し、第３ガイド表面および第４ガイド表面間に鋭角があり、第１固定構造体および第２固定構造体が互いに固定される時、前記第２ガイド表面が前記第４ガイド表面に接触する。
【００１３】
また、この発明のカバーモジュールにおいて、前記本体は電子装置のケーシング（casing）の一部である。
【００１４】
また、この発明のカバーモジュールにおいて、前記本体と前記フリップカバーと前記フレキシブル連接素子とが一体的に形成される。
【００１５】
また、この発明のカバーモジュールにおいて、前記フリップカバーは更に第２固定構造体に対応する複数の突起構造体を有し、前記各突起構造体は第１固定構造体および第２固定構造体が互いに固定されている時、第１固定構造体および前記第２固定構造体を共に遮る（hide）。
【００１６】
また、この発明のカバーモジュールにおいて、前記フリップカバーは、前記フリップカバーの強度を増大するためのサポート構造体を備える。
【００１７】
また、この発明のカバーモジュールにおいて、前記フレキシブル連接素子は前記本体の表面および前記フリップカバーの表面に連接される。
【００１８】
この発明は、更に、電子装置のコネクターを保護するために、電子装置のカバーモジュールを制御する方法を提供するものであり、その方法により電子装置のコネクターを保護できるものである。方法は以下のステップを含む。外力をカバーモジュールのフリップカバーに加えて、前記カバーモジュールのフリップカバー上の第２固定構造体と前記カバーモジュールの本体上の第１固定構造体との間の固定を解除するとともに、前記本体および前記フリップカバーに連接されているフレキシブル連接素子を変形させ、ここにおいて前記第１固定構造体は開口部の側壁に位置し、かつ前記開口部は本体上に位置する。次に、フレキシブル連接素子の一部を軸としてフリップカバーを回動させ、前記フリップカバーが本体から相対的に開いて、前記開口部にコネクターを露出させる。
【００１９】
また、この発明の電子装置のカバーモジュールを制御する方法において、前記第２固定構造体および前記第１固定構造体間の固定を解除するステップは、前記第２固定構造体のガイド表面が前記第１固定構造体のガイド表面を超えるまで、前記第２固定構造体のガイド表面を前記第１固定構造体のガイド表面に沿ってガイドすることを含む。
【００２０】
この発明により提供されるカバーモジュール中、フレキシブル連接素子が本体およびフリップカバー間に配置される。フレキシブル連接素子の材料がより柔らかいので、ユーザーがフレキシブル連接素子を変形でき、わずかな力を加えることでフリップカバーおよび本体間の固定を解除できる。また、コネクターを本体上の第１固定構造体およびフリップカバー上の第２固定構造体を介して、効果的に遮ることができる。更に、カバーモジュールが電子装置へ組み込まれる時に、スペースを浪費することがない。従って、カバーモジュールが非常に経済的に有益なものとなる。
【発明の効果】
【００２１】
要約すると、この発明により提供されるカバーモジュールは、電子装置のコネクターを効果的に遮ることができるとともに、コネクター中に堆積されるダスト微粒子、またはコネクターから進入する不必要な外来物質を防止することができる。また、ユーザーは、単に少しの力を加えることにより、本体に対応してフリップカバーを開閉することができる。かくして、ユーザーはより便利かつ容易にカバーモジュールを操作できる。更に、本体とフリップカバーとフレキシブル連接素子とが一体的に成形されるので、カバーモジュールの製作過程を簡略化することができるとともに、コストならびに労力を共に削減することができる。
【図面の簡単な説明】
【００２２】
【図１】従来技術にかかるカバーと電子装置のコネクターとを示す図である。
【図２】この発明の実施形態にかかる電子装置に取り付けられたカバーモジュールを示す図である。
【図３】図２中のカバーモジュールを示す図である。
【図４】図２のカバーモジュール中の本体に対してフリップカバーを如何に開かせるかを示す要部説明図である。
【図５】図４中のカバーモジュールを示す要部拡大図である。
【図６】フリップカバーを示す図である。
【図７】本体上の開口部を示す拡大図である。
【図８】この発明の別な実施形態にかかる第１固定構造体および第２固定構造体を示す図である。
【図９】本体に対してフリップカバーを如何に閉じるかを示す図である。
【図１０】本体に対してフリップカバーを如何に閉じるかを示す図である。
【図１１】本体に対してフリップカバーを如何に閉じるかを示す図である。
【図１２】電子装置のコネクターを保護するために電子装置上のカバーモジュールを制御する方法を示すフローチャートである。
【発明を実施するための形態】
【００２３】
以下、この発明を実施するための形態を図面に基づいて説明する。
図２は、この発明の実施形態にかかる電子装置に取り付けられたカバーモジュールを示す図であり、図３は、図２中のカバーモジュールを示す図である。図２と図３とにおいて、カバーモジュール３００は電子装置２００のコネクター２１０をカバーおよび保護することに使用される。図２において、電子装置２００は、ノートブックコンピューターである。しかし、電子装置２００のタイプは、この発明において限定されない。図４は、図２のカバーモジュール中のフリップカバーを本体に対して如何に開かせるかを示す要部説明図であり、図５は、図４中のカバーモジュールを示す要部拡大図である。図３と図４と図５とにおいて、カバーモジュール３００は、本体３１０と、フレキシブル連接素子３２０と、フリップカバー３３０とを含む。本体３１０はコネクター２１０を露出するための開口部３１２（図２に示す）を有し、開口部３１２の側壁（図示せず）は第１固定構造体３１４を有する。フレキシブル連接素子３２０は本体３１０およびフリップカバー３３０の間に連接され、フリップカバー３３０は開口部３１２中に位置する。フリップカバー３３０の側壁（図示せず）は、第１固定構造体３１４に係止されることに適した第２固定構造体３３２を有する。異なる製造設計において、本体３１０は電子装置２００のケーシングの一部であり、フリップカバー３３０は更にサポート構造体３３３を含む。ここで、サポート構造体３３３はフリップカバー３３０の強度を増大させるために、ケーシングに直面するフリップカバー３３０の内表面上に配置され、第２固定構造体３３２が更にサポート構造体３３３上に配置される。フリップカバー３３０に力が加えられる時、第１固定構造体３１４および第２固定構造体３３２間の固定が解除されるとともに、フレキシブル連接素子３２０が変形される。フリップカバー３３０はフレキシブル連接素子３２０の変形に沿って移動し、フリップカバー３３０がフレキシブル連接素子３２０の一部を軸として回動して本体３１０に対して開かれる。ユーザーは、フレキシブル連接素子３２０がより柔らかい材料製なので、より小さい力で本体３１０およびフリップカバー３３０間に連接されたフレキシブル連接素子３２０を変形させ、フリップカバー３３０および本体３１０間の固定を解除することができる。従って、ユーザーは、コネクター２１０（図２に示す）を便利に使用することができる。
【００２４】
具体的には、本体３１０は、実際の必要に基づいてポリカーボネート（polycarbonate；ＰＣ）、アクリロニトリル・ブタダイン・スチレン・ターポリマー（acrylonitrile-butadiene-styrene terpolymer；ＡＢＳ）または金属製とすることができる。本体３１０は、底壁３１６と、少なくとも３つの側壁３１７，３１８，３１９とを含む。ここで、側壁３１７，３１８，３１９は底壁３１６の同一サイドに位置し、側壁３１７，３１９は互いに平行で、かつ側壁３１８は側壁３１７，３１９間に垂直に連接している。また、図３中の側壁３１７，３１９はそれぞれ開口部３１２を有する。開口部３１２は、実際の必要性に基づき、当業者によって３つの側壁３１７，３１８，３１９上に選択的に配置できるが、開口部３１２の位置および数量は、この発明において限定されない。
【００２５】
図４と図５とにおいて、開口部３１２は、互いに対向する２つの第１サイド３１２ａと、第１サイド３１２ａ間に垂直に連接される表面３１２ｂとを有し、第１固定構造体３１４は第１サイド３１２ａに対応するように配置される。フリップカバー３３０は、互いに対向する２つの第２サイド３３０ａと、２つの第２サイド３３０ａ間に垂直に連接される表面３３０ｂとを有する。ゴム製のフレキシブル連接素子３２０は表面３１２ｂおよび表面３３０ｂに連接され、第２固定構造体３３２は第２サイド３３０ａに対応するように配置される。つまり、第１固定構造体３１４は各第１サイド３１２ａに対応するように配置され、かつ第２固定構造体３３２は各第２サイド３３０ａに対応するように配置される。第１固定構造体３１４および第２固定構造体３３２はフリップカバー３３０のトップサイド３３０ｃの近くに配置され、トップサイド３３０ｃは２つの平行な第２サイド３３０ａ間に垂直に連接されるとともに、表面３３０ｂに対向する。図６は、フリップカバーを示す説明図であり、図７は、本体上の開口部を示す拡大図である。図６と図７とにおいて、第１固定構造体３１４が側壁３１７の第１サイド３１２ａ上の凹所（recess）であり、第２固定構造体３３２は第２サイド３３０ａから突出したフランジである。
【００２６】
図８は、この発明の別の実施形態にかかる第１固定構造体および第２固定構造体を示す図である。図８において、第１固定構造体および第２固定構造体の形状および位置は、実際の設計に従って決定できる。例えば、第１固定構造体３１４’をフランジとして第２固定構造体３３２’を対応する凹所とすることや、第１固定構造体３１４’および第２固定構造体３３２’を第１サイド３１２ａおよび第２サイド３３０ａの中間付近に配置することもできる。しかし、第１固定構造体および第２固定構造体の位置・形状・数量は、この発明において限定されず、第１固定構造体および第２固定構造体が互いに固定できる限り、この発明の範囲内にある。
【００２７】
図６と図７とにおいて、第１固定構造体３１４は、第１ガイド表面３１４ａと、第２ガイド表面３１４ｂとを有し、第１ガイド表面３１４ａおよび第２ガイド表面３１４ｂ間に鋭角が存在する。第２固定構造体３３２は、第３ガイド表面３３２ａと、第４ガイド表面３３２ｂとを有し、第３ガイド表面３３２ａおよび第４ガイド表面３３２ｂ間に鋭角が存在する。また、フリップカバー３３０は、更に第２固定構造体３３２に対応する複数の突起構造体３３４を有する。第１固定構造体３１４および第２固定構造体３３２が互いに固定される時、突起構造体３３４は第１固定構造体３１４および第２固定構造体３３２を共に遮り、カバーモジュール３００の外観を向上させる。
【００２８】
本実施形態中、本体３１０と、フレキシブル連接素子３２０と、フリップカバー３３０とが一体的に形成される。具体的には、カバーモジュール３００を形成する間、より硬い材料（例えば、ＰＣ、ＡＢＳまたは金属）が先ずモールド（mold）へ充填されて本体３１０およびフリップカバー３３０を形成してから、ラバーのようなより柔らかい材料がモールドへ充填されてフレキシブル連接素子３２０を形成する。その後、カバーモジュール３００がモールドから外される。また、フリップカバー３３０の一部および本体３１０に一部もまた実際の必要性に応じてラバー製とすることができる。従来技術と比較して、本実施形態のカバーモジュール３００は、容易に製作できるとともに、追加的なヒンジまたはブロックドアーを必要としない。かくして、本発明において、材料コストおよび労力が共に削減される。
【００２９】
図９から図１１は、本体に対してフリップカバーを如何に閉じるかを示す図である。図９において、フリップカバー３３０が開口部３１２に固定されていない時、開口部３１２は電子装置２００のコネクター２１０（図２に図示）を露出させる。ユーザーは、フリップカバー３３０を本体３１０へ接近させることができる。更に具体的には、フレキシブル連接素子３２０が開口部の表面３１２ｂに連接される一端ならびにフリップカバー３３０の表面３３０ｂに連接される他端を有するとともに、フレキシブル連接素子３２０がより柔らかいラバー製なので、ユーザーがフリップカバー３３０に力を加えると、フレキシブル連接素子３２０が変形し、フリップカバー３３０が対応するよう開口部３１２に接近する。また、フリップカバー３３０もフレキシブル連接素子３２０を軸とし本体３１０に対して回動し、結果としてフリップカバー３３０を開口部３１２へ挿入する。
【００３０】
次に、図１０において、力が恒常的にフリップカバー３３０に加えられ、それを開口部３１２方向へ移動させる。第２固定構造体３３２の第３ガイド表面３３２ａが第１固定構造体３１４の第１ガイド表面３１４ａに接触する時、第３ガイド表面３３２ａが第１ガイド表面３１４ａに沿ってＺ方向へ移動するとともに、フリップカバー３３０が第３ガイド表面３３２ａに沿ってＺ方向へ移動する。その結果、フリップカバー３３０の表面３３０ｂに連接するフレキシブル連接素子３２０もまたＺ方向へ移動するので、フレキシブル連接素子３２０が変形させられる。
【００３１】
その後、図１１において、第３ガイド表面３３２ａが第１ガイド表面３１４ａを超えた後、第４ガイド表面３３２ｂおよび第２ガイド表面３１４ｂは互いに接触する。そして、ユーザーがフリップカバー３３０に力を加えることを停止し、第４ガイド表面３３２ｂがフレキシブル連接素子３２０の復元力により第２ガイド表面３１４ｂに沿って移動する。特筆すべきことは、第３ガイド表面３３２ａおよび第４ガイド表面３３２ｂが鋭角を形成し、かつ第１ガイド表面３１４ａおよび第２ガイド表面３１４ｂが鋭角を形成するので、第１固定構造体３１４および第２固定構造体３３２が互いに固定され、固定は外力が加えられるまで解除されないことである。かくして、フリップカバー３３０が開口部３１２中に位置して電子装置２００のコネクター２１０（図２に図示）を遮る。
【００３２】
反対に、ユーザーがコネクター２１０（図２に図示）を使用したい時、図１１から図９に示すように、逆のプロセスでフリップカバー３３０が本体３１０に対して開かれる。ユーザーはフリップカバー３３０のトップサイド３３０ｃに単に少しの力を与えてフリップカバー３３０を下方へ移動させる。そして、フレキシブル連接素子３２０がフリップカバー３３０により駆動されて変形される。フリップカバー３３０の第４ガイド表面３３２ｂは、第２ガイド表面３１４ｂに沿って第４ガイド表面３３２ｂが第２ガイド表面３１４ｂを超えるまで移動する時、フリップカバー３３０の第２固定構造体３３２および本体３１０の第１固定構造体３１４の固定が解除される。その後、フリップカバー３３０がフレキシブル連接素子３２０の一部を軸として回動して本体３１０に対して開かれ、コネクター２１０（図２に図示）が開口部３１２において露出される。
【００３３】
図１２は、電子装置のコネクターを保護するために電子装置上のカバーモジュールを制御する方法を示すフローチャートである。この発明の方法は、以下のステップを含む。ステップＳ１１０において、外力がカバーモジュールのフリップカバーに加えられ、フリップカバー上の第２固定構造体がカバーモジュールの本体上に位置する第１固定構造体との固定を解除すると同時に、本体およびフリップカバーに連接されるフレキシブル連接素子が変形される。ここで、第１固定構造体は本体の開口部の側壁上に位置する。そして、ステップＳ１２０において、フリップカバーがフレキシブル連接素子の一部を軸として回動して、フリップカバーが本体に対して開かれる。その結果、コネクターが開口部に露出される。ユーザーが開口部を閉じたい時は、ユーザーは単に少しの力をフリップカバーに加えてフレキシブル連接素子を変形させるとともに、第１固定構造体を第２固定構造体に固定して、開口部を閉じてコネクターを保護する。
【００３４】
上記したように、ユーザーが本実施形態のカバーモジュール３００を使用する時、ユーザーは本体に対応するフリップカバー３３０を開閉するとともに、ユーザーがフリップカバー３３０に加える力は効果的に削減される。つまり、本発明のカバーは、従来のカバーと比較してより容易に操作される。
【００３５】
以上のごとく、この発明を実施形態により開示したが、もとより、この発明を限定するためのものではなく、当業者であれば、この発明の技術思想の範囲内において、さまざまな変更や修正が当然なされうるものであるから、その特許権保護の範囲は、特許請求の範囲およびそれと均等な範囲を基準として定められるべきである。
【符号の説明】
【００３６】
２００  電子装置
２１０  コネクター
３００  カバーモジュール
３１０  本体
３１２  開口部
３１２ａ  第１サイド
３１２ｂ  表面
３１４，３１４’  第１固定構造体
３１４ａ  第１ガイド表面
３１４ｂ  第２ガイド表面
３２０  フレキシブル連接素子
３３０  フリップカバー
３３０ａ  第２サイド
３３０ｂ  表面
３３０ｃ  トップサイド
３３２，３３２’  第２固定構造体
３３２ａ  第３ガイド表面
３３２ｂ  第４ガイド表面
３３３  サポート構造体
３３４  突起構造体
【図１】
2010244510.tif 000003
【図２】
2010244510.tif 000004
【図３】
2010244510.tif 000005
【図４】
2010244510.tif 000006
【図５】
2010244510.tif 000007
【図６】
2010244510.tif 000008
【図７】
2010244510.tif 000009
【図８】
2010244510.tif 000010
【図９】
2010244510.tif 000011
【図１０】
2010244510.tif 000012
【図１１】
2010244510.tif 000013
【図１２】
2010244510.tif 000014
【外国語明細書】
2010244510000001.pdf